(57)【要約】  【課題】座の前後位置を調節するためのレバーを取り付けるにおいて、部材点数を少なくすると共に組み立て作業も迅速化する。  【手段】座受け金具８に合成樹脂製のアンダーシェル７を前後動可能に取り付けて、アンダーシェル７に座板１９を取り付けている。座受け金具８に複数の切欠き溝６４を前後方向に沿って適宜間隔で形成している。切欠き溝６４に係脱するレバー６３は、アンダーシェル７の上面に形成した保持部６８に取り付けられている。保持部６８はキャッチ爪６７の対を備えており、キャッチ爪６７は座板１９に設けたストッパー６９で変形不能に保持されている。アンダーシェル７には、レバー６３の係止部６３ａの前後ずれを規制する樋状の規制部７４が形成されている。【選択図】      図１５
2005152102.tif 000002
【特許請求の範囲】
【請求項１】
座の前後位置調節や背もたれの後傾角度調節のような調節又は切り換えのためのレバーを備えており、レバーには指掛け部を設けている椅子であって、
椅子を構成するシェル状やフレーム状等の樹脂製部材に、前記レバーが離脱しない状態に取付く保持部を一体成形している、
椅子。
【請求項２】
前記レバーは棒材製で回動式であって、回動軸心を有する回動軸部を備えており、この回動軸部に、他の部材に形成した係合部に係脱する係止部を折曲げ形成している一方、
前記保持部は、レバーの回動軸部をその軸心と直交した方向から押し込むと弾性変形して回動軸部を挟み保持するキャッチ爪の対と、キャッチ爪の対の間に押し込まれた回動軸部を支持する受け部とから成っている、
請求項１に記載した椅子。
【請求項３】
座受け金具と、この座受け金具に前後動可能な状態で取り付けられた上向き開口状の合成樹脂製アンダーシェルと、前記アンダーシェルで支持された合成樹脂製座板とを備えており、前記レバーは座の前後位置を調節するためのものであって、
前記レバーの回動軸部はアンダーシェルの上面側に位置していて前後方向に延びており、前記アンダーシェルの上面に、前記保持部を、レバーの回動軸部が上方からの押し込みにて嵌め込まれるように形成している一方、
前記レバーにおける回動軸部の一端部には、アンダーシェルに形成した第１窓穴を介して外側に露出した操作部が連設されていてこれに指掛け部を取り付けており、回動軸部の他端には、アンダーシェルに形成した第２窓穴を介して座受け金具に向けて延びる係止部が折曲げ形成されており、
前記座受け金具に、レバーが回動するとその係止部が係脱する係合部を前後方向に沿って適宜間隔で複数個形成している、
請求項２に記載した椅子。
【請求項４】
前記座板には、キャッチ爪の対が互いに開く方向に撓み変形することを阻止するストッパーを下向き突設している、
請求項３に記載した椅子。
【請求項５】
前記アンダーシェルには、前記係止部が座受け金具の係合部に係合した状態でレバーを前後動不能に保持する規制部を一体に形成している、
請求項３又は４に記載した椅子。
【発明の詳細な説明】
【技術分野】
【０００１】
本発明は、椅子に関するものである。
【背景技術】
【０００２】
椅子には人が操作するレバーを設けることが多い。例えば、座の高さを調節するガスシリンダを操作するためのレバーや、背もたれを後傾動自在なフリー状態と後傾動不能なロック状態とに切り換えるためのレバー、背もたれの後傾角度を切り換えるためのレバー、或いは、座の前後位置を調節するためのレバーが挙げられる。
【０００３】
そして、特許文献１には、座を座受け枠に前後動可能に取り付けた椅子において、座受け枠における前後長手の側枠部に複数の係合穴を前後方向に適宜間隔で形成する一方、座板の下面に、レバーを回動自在に保持するための支持部材をねじで固定することが記載されている。
【特許文献１】特開２００１−１８６９５４号公報
【発明の開示】
【発明が解決しようとする課題】
【０００４】
特許文献１のように座の前後位置を調節するためのレバーを設けると、例えば特開２００３−１３５１９６号公報のように操作部を座板に一体成形した場合に比べて操作性に優れていると言える。しかし、その反面、特許文献１ではレバーを取付けるための部材を別に用意してこれをねじ止めしなければならないため、部材点数が増えてコストが嵩むと共に、椅子の組み立て作業の手間がかかるという問題がある。
【０００５】
本願発明は、このような問題を解消することを課題とするものである。
【課題を解決するための手段】
【０００６】
請求項１の発明は、座の前後位置調節や背もたれの後傾角度調節のような調節又は切り換えのためのレバーを備えており、レバーには指掛け部を設けている椅子において、椅子を構成するシェル状やフレーム状等の樹脂製部材に、前記レバーが離脱しない状態に取付く保持部を一体成形している。
【０００７】
請求項２の発明は、請求項１において、前記レバーは棒材製で回動式であって、回動軸心を有する回動軸部を備えており、この回動軸部に、他の部材に形成した係合部に係脱する係止部を折曲げ形成している一方、前記保持部は、レバーの回動軸部をその軸心と直交した方向から押し込むと弾性変形して回動軸部を挟み保持するキャッチ爪の対と、キャッチ爪の対の間に押し込まれた回動軸部を支持する受け部とから成っている。
【０００８】
請求項３の発明に係る椅子は、座受け金具と、この座受け金具に前後動可能な状態で取り付けられた上向き開口状の合成樹脂製アンダーシェルと、前記アンダーシェルで支持された合成樹脂製座板とを備えており、前記レバーは座の前後位置を調節するためのものであって、これに請求項２の発明をより具体化したものである。
【０００９】
すなわち、請求項２において、前記レバーの回動軸部はアンダーシェルの上面側に位置していて前後方向に延びており、前記アンダーシェルの上面に、前記保持部を、レバーの回動軸部が上方からの押し込みにて嵌め込まれるように形成している一方、前記レバーにおける回動軸部の一端部には、アンダーシェルに形成した第１窓穴を介して外側に露出した操作部が連設されていてこれに指掛け部を取り付けており、回動軸部の他端には、アンダーシェルに形成した第２穴を介して座受け金具に向けて延びる係止部が折曲げ形成されており、前記座受け金具に、レバーが回動するとその係止部が係脱する係合部を前後方向に沿って適宜間隔で複数個形成している。
【００１０】
請求項４の発明では、請求項３において、前記座板には、キャッチ爪の対が互いに開く方向に撓み変形することを阻止するストッパーを下向き突設している。また、請求項５の発明では、請求項３又は４において、前記アンダーシェルには、前記係止部が座受け金具の係合部に係合した状態でレバーを前後動不能に保持する規制部を一体に形成している。
【発明の効果】
【００１１】
本願発明によると、レバーの保持部を樹脂製の部材に一体成形しているため、部材点数を少なくしてコストを抑制できると共に、椅子の組み立て作業の能率も向上できる。
【００１２】
請求項２のように構成すると、レバーは保持部に対して押し込むというワンタッチ的な作業で取り付けることができるため、椅子の組み立て作業の能率を一層向上することができる。
【００１３】
請求項３のように構成すると、レバーの回動軸部はアンダーシェルと座板との間に隠れているため、換言するとアンダーシェルがレバーに対するカバーの役割を果たすため、美観に優れている。
【００１４】
請求項４の構成にすると、キャッチ爪を撓み変形し易い状態に形成しても椅子の使用中にキャッチ爪が変形してレバーが外れることを阻止できるため、レバーの取り付け作業の容易性を損なうことなく、レバーの取り付け強度を確保することができる。また、キャッチ爪の破損も防止できる。
【００１５】
座の前後位置を調節できる椅子において、例えば着座した人が背もたれにもたれ掛かると座には前向き移動しようとする外力が作用し、このため、レバーにも前向き方向に押す外力が作用する。従って、レバーは前進動しないように保持する必要がある。
【００１６】
この点、請求項５のように構成すると、アンダーシェルに設けた規制部の存在により、キャッチ爪に負担をかけることなくレバーの前後動を阻止できるため、保持部を過度に頑丈な構造にすることなく、レバーをしっかりと保持できる。
【発明を実施するための最良の形態】
【００１７】
次に、本発明の実施形態を図面に基づいて説明する。図１〜図１５では第１実施形態を示している。この点をまず説明する。
【００１８】
(1).椅子の基本構造
図１は椅子の側面図であり、この図に示すように、椅子は、キャスター付きの脚１と、座２と、背もたれ３と、肘掛け４とを備えている。脚１は伸長自在及び回転自在な脚支柱５を備えており、脚支柱５の上端には支基ベース６が固定されている。
【００１９】
座２は、アンダーシェル（アウターシェルと言っても良い）７を介して座受け金具８で支持されており、座受け金具８の前端部は支基ベース６の前端部に第１軸９によって後傾動及び後退動自在に取り付けられている。
【００２０】
また、支基ベース６の後部寄り部位には傾動フレーム１０の前端部が第２軸１１によって後傾動可能に連結されており、傾動フレーム１０の後部には背支柱１２を設け、この背支柱１２に背もたれ３を取り付けている。背支柱１２と背もたれ３との間にはランバーサポート１３を高さ調節自在に配置している。
【００２１】
更に、傾動フレーム１０のうち第３軸１４よりも後方の部位と座受け金具８の後部とは第３軸１４によって相対回動可能に連結されている。このため、背もたれ３が後傾動するとこれに連動して座２も一緒に後傾しつつ後退する。
【００２２】
図２は支持機構を構成する主要部材の分離斜視図、図３（Ａ）は座部の縦断側面図、図４は図３（Ａ）のIV−IV視平面図、図５は傾動フレーム１０とこれに関連した部材の分離斜視図である。
【００２３】
例えば図２から明らかなように、支基ベース６は左右側板６ａを備えた上向き開口の箱状に形成されており、その後部にインナーブラケット１５を固着し、インナーブラケット１５を介して脚支柱５の上端を固定している。支基ベース６における左右側板６ａの前部には、第１軸９を軸支するための切り開き穴１６が前向きに開口するように形成されている。
【００２４】
座受け金具８は左右に一対配置されており、その前部には丸パイプ製の第１軸９が溶接にて固着され、後部には、丸パイプ製の第３軸１４が溶接にて固着されている。座受け金具８と両軸９，１４により座受けフレーム１７が構成されている。両軸９，１４は座受け金具８に溶接されているため、座受けフレーム１７は軽量ながら頑丈な構造になっている。
【００２５】
座受け金具８には左右外側に広がるフランジ８ａが形成されており、このフランジ８ａにアンダーシェル７が前後動可能に取り付けられている（詳細は後述する）。図３（Ａ）に示すように、座２は合成樹脂製の座板（インナーシェル）１９にクッション２０を張った構造になっている。
【００２６】
例えば図５に示すように、傾動フレーム１０は左右外側に開口した溝形に形成されていて左右に配置されている一方、背支柱１２は若干の間隔を隔てて左右に２本配置されており、両背支柱１２の下部を横向きに曲げてこれを傾動フレーム１０の内部に嵌め込んで溶接にて固着している。左右の背支柱１２の下部は、それらに溶接された下部連結金具２１で一体に連結されている。
【００２７】
なお、傾動フレーム１０と背支柱１２とは一体の構造にすることも可能である。また、傾動フレーム１０及び背支柱１２は左右に一対ずつ配置する必要はなく、１本の場合もあり得る。勿論、断面形状は自由に設定できる。また、背支柱１２を備えずに傾動フレーム１０に背もたれ３を直接的に取付けることも可能である。
【００２８】
前記インナーブラケット１５は、支基ベース６の底面と略直角を成す前壁１５ａを備えており、この前壁１５ａの手前側に可動式の後部ばね受け装置２２を配置し、ばね２３を後方から支持している。
【００２９】
第１軸９のうち支基ベース６の内部の部位には、左右のフロントブッシュ２４と両者の間に挟まれた前部ばね受け２５とが被嵌している。左右フロントブッシュ２４は、図３（Ｂ）に示すように横向き開口の略Ｕ字状に形成されており、支基ベース６に形成した切り開き穴１６に左右動不能に嵌合している。第１軸９はフロントブッシュ２５の後向き開口溝内に前後動自在に嵌まっている。なお、フロットブッシュ２４は上下分離方式とすることも可能である。
【００３０】
左右フロントブッシュ２４と前部ばね受け２５とは、側面視前向き開口コ字状で金属板製のフロント金具２６の内部にきっちり嵌まっており、かつ、フロント金具２６と左右フロントブッシュ２４とはねじ２７（図４参照）で締結されている。第２軸１１は、センターブッシュ２８及びセンター金具２９を介して支基ベース６の下面にねじ３０で締結されている。
【００３１】
第３軸１４は、左右傾動フレーム１０に架け渡すように配置されたブリッジ部材３１に、左右一対ずつの合成樹脂製リアブッシュ３２及びリア金具３３にて連結されている。ブリッジ部材３１は傾動部材１０に溶接で固着されている。このため、左右傾動部材１０は頑丈に連結されている。
【００３２】
背もたれ３が後傾動すると座２も連動し後退しつつ後傾動するが、背もたれ３及び座体２の後傾角度を規制するため、図３に示すように、インナーブラケット１５の上面に、第３軸１４が下降下限において当接するストッパー３４を設けている。
【００３３】
図５において符号３５で示すのは背もたれ３を構成する合成樹脂製のインナー板であり、符号３６で示すのはバックカバーであり、符号３７で示すのはセンターカバーである。センターカバー３７は、ブリッジ部材３１よりも後方の部位において傾動フレーム１０及びその間の空間を覆うようになっている。
【００３４】
図３及び図５に部分的に示すように、支基ベース６の後方には、背もたれ３を傾動可能なフリー状態と傾動不能なロック状態とに切り換えるガススプリング３８を前後方向に延びるように配置している。
【００３５】
ガススプリング３８の前端部は、支基ベース６の後面に固着した平面視コ字状の軸受け金具３９に水平状のピン４０にて上下回動可能に取り付けられている。また、ガススプリング３８の後端部、ヘッド金具４１及び軸受け金具４２を介してバックフレーム１２の下部連結金具２０に軸支されている。傾動フレーム１０には、ガススプリング３８を操作するためのレバーを設けているがこれは省略している。
【００３６】
(2).アンダーシェル及び座板
次に、アンダーシェル７及び座板１９について、主として図６〜図１２を参照して説明する。
【００３７】
図６のうち（Ａ）はアンダーシェル７の平面図、（Ｂ）は（Ａ）のＢ−Ｂ視断面図、図７は座板１９の平面図、図８のうち（Ａ）はアンダーシェル７と座板１９との分離縦断側面図、（Ｂ）は座板１９をアンダーシェル７に取り付けた状態での縦断側面図、図９は座板１９の取り付け状態を図８（Ａ）のIX−IX視箇所で見た断面図、図１０は図９のX-X 視分離断面図、図１１はアンダーシェル７の取り付け状態を図６のXI-XI 視箇所で見た断面図、図１２はアンダーシェル７の取り付け状態を図６のXII-XII 視箇所で見た断面図である。
【００３８】
アンダーシェル７と座板１９とは合成樹脂製（例えば共にポリプロピレン製）で、それぞれ正面視で上向き凹状に形成されている。そして、図８，図１１，図１２から明らかなように、座板１９の外周部をアンダーシェル７の外周部に当てた状態で、アンダーシェル７と座板１９との間には空間が空いている。このため、人が着座すると座板１９が弾性変形して沈み込み得る。図８に示すように、座板１９の後部には、座板１９の後部には、補強用のリア突起４４を設けており、リア突起４４はアンダーシェル７の内部に入り込んでいる。
【００３９】
アンダーシェル７の略前半部でかつ前後長手中心線に沿った部位には、座受け金具８を覆う幅寸法の上向き枠部７ａが形成されており、これは、アンダーシェル７と座受け金具８とをできるだけ接近させて、座２の最下限高さを低くして身長の低い人も楽に使用できるようにするためである。勿論、座受け金具８の全体とアンダーシェル７との間に間隔を空けて上向き枠部７ａを無くすこともできる。
【００４０】
アンダーシェル７の下面には、座受け金具８のフランジ８ａを抱き込むガイド爪４５の群が形成されている。このため、アンダーシェル７は上向き動及び左右動不能に保持され、かつ、アンダーシェル７及び座２の前後位置を調節し得る（前後位置の調節手段は後述する）。
【００４１】
座板１９をアンダーシェル７に取り付ける方法として、先ず、例えば図９及び図１０に示すように、アンダーシェル７の左右両側部上面に正面視矢尻形の係止爪４６を前後方向に沿って適宜間隔で複数個突設する一方、座板１９には、係止爪４６が遊嵌するる凹所４７と、凹所４７の手前側に位置した段状受け部４８とを形成している。
【００４２】
従って、凹所４７を係止爪４６に嵌めた状態で座板１９を後方にずらすと、座板１９の受け部４８がアンダーシェル７の係止爪４６と係合して、座板１９はアンダーシェル７から上向き移動不能に保持される。
【００４３】
座板１９を手前側に移動不能に保持する手段としては、アンダーシェル７における上向き枠部７ａの天板のうち前部に左右一対の角形係合穴４９を形成する一方、座板１９には、角形係合穴４９に嵌まり込む側面視下向き山形のストッパー部５０を形成している。ストッパー部５０は平面視で後ろ向き開口コ字状のスリット５０ａで囲われており、このため、ストッパー部５０は上下方向に撓み変形し得る。
【００４４】
図３及び図６（Ａ）に示すように、アンダーシェル７における上向き枠部７ａの前端部でかつ左右中間部にフロント係合穴５１を形成している一方、座板１９の前部下面には、前記係合穴５１に嵌まり係合するフロント爪５２とアンダーシェル７の上面に当接する足体５３とを一体に設けている。このため、アンダーシェル７の前部と座板１９の前部とは離反不能に保持される。
【００４５】
なお、クッション２０にはクロス等の表皮材（図示せず）が張られており、この表皮材は座板１９の下面に巻き込まれている。そして、巻き込み部がアンダーシェル７で下方から覆われている。このため、表皮材の縁が露出することはなくて体裁が良い。
【００４６】
座板１９の受け部４８をアンダーシェル７の係止爪４６に係合させてから、座板１９の前部を下向きに押すと、ストッパー部５０が弾性に抗して変形したのち角形係合穴４９に嵌め込むと共に、座板１９のフロント爪５２がアンダーシェル７のフロント係合穴５１に引っ掛かり係合し、これにより、座板１９はアンダーシェル７にガタ付きのない状態に取り付けられる。
【００４７】
座板１９を取り外す場合は、指先でフロント爪５２を手前に引いてフロント係合穴５１との係合を解除し、次いで、座板１９の前部に指先を当てて上向きに起こすことによってストッパー部５０を角形係合穴４９から離脱させ、それから座板１９を手前に引いたら良い。
【００４８】
座板１９には、人の臀部にフィットした状態で弾性変形するように多数のスリットの群を形成している。すなわち、前後方向に延びるセンタースリット５４の群と、その左右外側に位置した中間スリット５５の群と、その左右外側に配置したサイドスリット５６の群とで構成されている。センタースリット５４とサイドスリット５６は前後方向に延びており、中間スリット５５の群は傾斜状に延びている。
【００４９】
そして、着座者の臀部が当たる部分にスリット５４〜５６を高い密度で形成することにより、体圧が強く作用する部分がより大きく沈み込み変形するように設定している。なお、座板１９の前部は殆ど沈み込み変形しないので、アンダーシェル７の上向き枠部７ａと僅かしか隙間が空いてなくても（或いは上向き枠部７ａに当たっていても）差し支えない。
【００５０】
図６に示すように、アンダーシェル７の傾斜部には、取り扱い説明書や保証書のような紙片類５７を格納するポケット部５８を形成している。このポケット部５８は、平面視で二山状の下片（載置片）５９と、平面視で一山状の上片（押さえ片）６０とで構成されており、両片５９，６０は、座インナーシェル７を射出成形法で製造するにおいて金型の食い切りを利用して形成されており、このため平面視で重なってはいない。上片６０の付け根部には、指を挿入して紙片類６２を外側に押し出すための穴６１が空いている。
【００５１】
既述のように、座板１９は着座者の臀部が当たる部分において最も大きく沈み込み変形し、この変形により、クッション性とフィット性とが付与される。そして、座板１９は無限に変形するのではなく、図１２に一点鎖線で示すように、ある程度まで変形するとアンダーシェル７に当たるため、座板１９が塑性変形したり破断したりすることはない。また、座板１９はアンダーシェル７にて広い面積で支持されるため、座板１９がアンダーシェル７に当たるに際してゴツゴツした感じはなく、フィット性が損なわれることもない。
【００５２】
既述のように、座２の下限高さをできるだけ低くするため、支基ベース６の前端は座受け金具８の上面からやや突出している（図３参照）。このため、アンダーシェル７における後端のガイド爪４５から順に座受け金具８のフランジ８ａに嵌め込むと、途中でアンダーシェル７が支基ベース６の上端に当たってしまう。
【００５３】
そこで、座受け金具８のフランジ８ａに、図４に示すように、アンダーシェル７における後部の３個のガイド爪４５が上方から逃げ移動し得る切欠き８ｂを形成して、後部の３個のガイド爪４５をこの切欠き８ｂの箇所で座受け金具８の上面よりも下方に位置させてから、アンダーシェル７を後方移動させることにより、各ガイド爪４５で座受け金具８のフランジ８ａを抱き込むことが許容されている。
【００５４】
従って、座受け金具８の切欠き８ｂの前後長さＬ２（図４参照）は、アンダーシェル７における後部の３個のガイド爪４５の前後距離Ｌ１（図６参照）よりも大きく、かつ、座受け金具８における切欠き８ｂよりも手前の部分の前後長さＬ４は、アンダーシェル７における前後３個ずつのガイド爪４５の群間の間隔寸法Ｌ３よりも小さく設定されてる。
【００５５】
既述のとおり、本実施形態では、座受け金具８と第１及び第３の軸９，１４とで一体構造の座受けフレーム１７が形成され、かつ、各軸９，１１，１４は２つ割り方式のブッシュ対とこれを押さえ固定する金具とで取り付けられているため、一々軸を軸受け穴に挿通して抜け止めすることに比べて、組み立て作業を迅速化することができる。
【００５６】
(3).座の前後位置調節手段
次に、座２の前後位置調節手段を図１３〜図１５に基づいて説明する。図１３は分離平面図、図１４は一部の部材を分離した平面図、図１５のうち（Ａ）はレバー６３の斜視図、（Ｂ）は図１４のＢ−Ｂ視断面図、（Ｃ）は図１４のＣ−Ｃ視断面図、（Ｄ）は図１４のＤ−Ｄ視断面図、（Ｅ）は（Ｄ）のＥ−Ｅ視断面図、（Ｆ）は（Ｄ）のＦ−Ｆ視断面図である。
【００５７】
本実施形態では、係合部の一例として、一方の座受け金具８（正面視で左側の座受け金具）のフランジ８ａに外向き開口した複数（図では４個）の切欠き溝６４を形成して、任意の切欠きにレバー６３の係止部６３ａを嵌脱させることにより、座２の前後位置を調節できるようにしている。係止部６３ａの先端は扁平状に形成している。
【００５８】
レバー６３は丸棒（線材）製であり、前後方向に延びる回動軸部６３ｂと、回動軸部６３ｂの前端から下向きに延びる前部下向き部６３ｃと、前部下向き部６３ｃの下端から外側方向に向けて延びる操作部６３ｄと、回動軸部６３ｂの後端から下向きに延びる後部下向き部６３ｅとを備えており、後部下向き部６３ｅに係止部６３ａを形成し、操作部６３ｄに合成樹脂製のグリップ（指掛け部）６５を取り付けている。
【００５９】
回動軸部６３ｂは、アンダーシェル７に上向き突設した前後複数の受け部６６で下方から支持されていると共に、アンダーシェル７に突設したキャッチ爪６７の対で上向き動しない状態に保持されている。従って、本実施形態では、互いに分離形成された受け部６６とキャッチ爪６７とで保持部６８を構成している。
【００６０】
キャッチ爪６７の対は前後に２対配置している。回動軸部６３ｂをキャッチ爪６７に当てて上方から押さえると、キャッチ爪６７の対が互いの間隔を広げるように弾性変形することより、回動軸部６３ｂはキャッチ爪６７の間に嵌まり込み、これによってレバー６３は保持部６８に取り付けられる。
【００６１】
キャッチ爪６７の対の間に受け部を一体に形成することも可能であるが、本実施形態のように受け部６６とキャッチ爪６７とを分離すると、キャッチ爪６７の上下長さを長くして撓み変形を容易ならしめることができるため、レバー６３の取り付け作業を軽い力で行うことができ、また、キャッチ爪６７の破損も防止できる。
【００６２】
図１５（Ｂ）に示すように、座板１９には、左右のキャッチ爪６７の対を左右外側から挟むようにした左右一対のストッパー６９を下向きに突設している。このため、キャッチ爪６７は互いの間隔が広がるように変形することが阻止されて、レバー６３に大きな力が掛かっても回動軸部６３ｂがキャッチ爪６７から外れることはなく、また、キャッチ爪６７が破損することもない。座板１９の沈み込み変形を許容するため、非着座状態では、ストッパー６９とアンダーシェル７上面との間には間隔が空いている。
【００６３】
アンダーシェル７には、レバー６３の操作部６３ｄをアンダーシェル７の下方に露出させるための第１窓穴７０と、レバー６３の係止部６３ａをアンダーシェル７の下方に露出させるための第２窓穴７１とが形成されている。
【００６４】
アンダーシェル７には、第２窓穴７１の縁から立ち上がる起立片７２を形成して、この起立片７２で支持したコイルばね７３により、レバー６３の係止部６３ａを押している。起立片７２にはばね受け７２ａを形成している。なお、レバー６３の付勢手段としてはねじりばね等の他の形態のばねを使用しても良く、配置箇所も自由に設定できる。
【００６５】
図１５の（Ｂ）（Ｅ）（Ｆ）に示すように、アンダーシェル７には、レバー６３の係止部６３ａを前後移動不能に保持する樋状の規制部７４を一体に形成している。従って、例えば着座者が背もたれ３にもたれ掛かることによって座２にこれを前向き動させるような強い力が作用しても、レバー６３がずれ動いたり耐久性が低下したりすることはない。
【００６６】
レバー６３の係止部６３ａは回動軸部６３ｂから下向きに延びているため、座２を前後方向に押すような外力が作用すると、係止部６３ａには前後方向のモーメントが作用し、このため、回動軸部６３ｂにはこれを上向きに起こすような外力が作用する。しかして、本実施形態のように規制部７４で係止部６３ａの下端の動きを規制すると、係止部６３ａにモーメントが作用することを著しく抑制してレバー６３の保持機能を的確に確保できる利点である。
【００６７】
図１５（Ｆ）に一点鎖線で示すように、係止部６３ａに対する規制部７４をアンダーシェル７３の上面に形成することも可能である。勿論、規制部７４をアンダーシェル７の上下に突設しても良い。
【００６８】
図から容易に理解できるように、指掛け部６５を上向きに引くとレバー６３は回転軸部６３ｂの軸心回りに回動し、係止部６３ａは座受け金具８の切欠き溝６４から離脱し、これにより、座２の前後位置を自在に変更できる。
【００６９】
保持部６８をアンダーシェル７の下面に下向き突設して、レバー６３の全体をアンダーシェル７の下側に配置することも可能であるが、本実施形態のように回動軸部６３ｂをアンダーシェル７の上面側に配置すると、アンダーシェル７の下面をスッキリさせることができて美観に優れている。また、第１窓穴７０を利用してレバー６３の前後動を阻止することも可能である。
【００７０】
(4).第２〜第５実施形態（図16〜図19）
図１６では第２実施形態を示している。（Ａ）は概略平面図、（Ｂ）は（Ａ）のＢ−Ｂ視断面図である。
【００７１】
この実施形態では、係止部６３ａをクランク状に形成して、係止部６３ａを挟んだ両側に回動軸部６３ｂを形成しており、両回動軸部６３ｂを保持部６８に取り付けている。一方の回動軸部６３ｂには外向き折曲げ部６３ｅを形成し、これに指掛け部（図示せず）を取り付けている。他方、座受け金具８は下向きの側板８ｃを備えており、この側板８ｃに、係止部６３ａが下方から嵌脱する切欠き溝６４の群を形成している。
【００７２】
図１７に示す第３実施形態はレバー６３の形態の別例であり、回動軸部６３ｂに係止部６３ａを溶接によって固着している。保持部は省略している。
【００７３】
図１８に示す第４実施形態では、回動軸部６３ｂの一端に指掛け部６５を取り付けて、回動軸部６３ｂの他端に係止部６３ａを折曲げ形成している。なお、図では保持部や規制部は省略している。
【００７４】
図１９に示す第５実施形態ではレバー６３はスライド式になっている。本願発明はこのようなスライドタイプのレバー６３にも適用することができる。保持部や規制部は省略している。
【００７５】
(5).第６〜第７実施形態（図20〜図21）
図２０及び図２１では座部の別例を示している。これらは両者とも座板１９の下面に下部クッション層７６を設けたもので、このうち図２０に示す第６実施形態では、着座前の状態で座板１９とアンダーシェル７との間に下部クッション層７６が充満しており、他方、図２１に示す第７実施形態では、着座前の状態で座板１９とアンダーシェル７との間に空間が存在している。
【００７６】
このように下部クッション層７６を設けると、座板１９の変形停止が徐々に行われるため、クッション性に優れていると言える。下部クッション層７６はアンダーシェル７の上面に載せただけでも良い。
【００７７】
(6).実施形態における座の支持機構の利点
既述のとおり、特許文献１では、座インナーシェルを座用フレーム体に前後移動調節可能に取り付けている。しかし、これでは座インナーシェルを下方から覆うカバーが別に必要になるという問題や、座用フレーム体の左右横幅を大きくしなければならないといった問題などがある。
【００７８】
これに対して本実施形態のように剛体構造のアンダーシェル７を座受け金具８に前後動可能に取り付けて、アンダーシェル７に座板１９を取り付ける構造にすると、座受け金具８の左右横幅をできるだけ小さくできるため、座２の支持機構がコンパクトになり、しかも、アンダーシェル７は座板１９を覆うカバーを兼用するため美観に優れている利点がある。また、座板１９が過度に沈み込み変形することの防止をアンダーシェル７で行えるため、特段の部材を必要としない利点もある。
【００７９】
(7).その他
本願発明は上記の実施形態の他にも様々に具体化することができる。例えば、レバーは棒材製とすることには限らず、金属板製としたり合成樹脂製としたりすることも可能である。また、座板の前後位置を調節するためのレバーに限らず、他の用途のレバーにも適用できる。
【００８０】
係合部の形態は実施形態のような切欠き溝には限らず、突起等の様々の態様に具体化できる。もちろん、レバーの係止部や係合部の形態に応じて自由に設定することができる。なお、座の前後位置を調節するためのレバーに適用する場合、規制部はレバーが前向き動することを阻止するように形成すれば足りる。
【図面の簡単な説明】
【００８１】
【図１】第１実施形態に係る椅子の側面図である。
【図２】主要部材の分離斜視図である。
【図３】（Ａ）は座部の縦断側面図、（Ｂ）はフロントブッシュの斜視図である。
【図４】図３（Ａ）のIV−IV視平面図である。
【図５】傾動フレームとこれに関連した部材の分離斜視図である。
【図６】（Ａ）はアンダーシェル７の平面図、（Ｂ）は（Ａ）のＢ−Ｂ視断面図である。
【図７】座板の平面図である。
【図８】（Ａ）はアンダーシェルと座板との分離縦断側面図、（Ｂ）は座板をアンダーシェル７に取り付けた状態での縦断側面図である。
【図９】座板の取り付け状態を図８（Ａ）のIX−IX視箇所で見た断面図である。
【図１０】図９のX-X 視分離断面図である。
【図１１】アンダーシェル７の取り付け状態を図６のXI-XI 視箇所で見た断面図である。
【図１２】アンダーシェル７の取り付け状態を図６のXII-XII 視箇所で見た断面図である。
【図１３】レバーの取り付け構造を示す分離平面図である。
【図１４】レバーの取り付け部の一部分離平面図である。
【図１５】（Ａ）はレバーの斜視図、（Ｂ）は図１４のＢ−Ｂ視断面図、（Ｃ）は図１４のＣ−Ｃ視断面図、（Ｄ）は図１４のＤ−Ｄ視断面図、（Ｅ）は（Ｄ）のＥ−Ｅ視断面図、（Ｆ）は（Ｄ）のＦ−Ｆ視断面図である。
【図１６】第２実施形態を示す図である。
【図１７】第３実施形態を示す図である。
【図１８】第４実施形態を示す図である。
【図１９】第５実施形態を示す図である。
【図２０】第６実施形態を示す図である。
【図２１】第７実施形態を示す図である。
【符号の説明】
【００８２】
１  脚
２  座
３  背もたれ
６  支基ベース
７  アンダーシェル
８  座受け金具
１９  座板１９
６３  座の前後位置調節用レバー
６３ａ  レバーの係止部
６３ｂ  レバーの回動軸部
６４  係合部の一例としての切欠き溝
６６  受け部
６７  キャッチ爪
６８  保持部
６９  ストッパー
７０  第１窓穴
７２  第２窓穴
７４  規制部
【図１】
2005152102.tif 000003
【図２】
2005152102.tif 000004
【図３】
2005152102.tif 000005
【図４】
2005152102.tif 000006
【図５】
2005152102.tif 000007
【図６】
2005152102.tif 000008
【図７】
2005152102.tif 000009
【図８】
2005152102.tif 000010
【図９】
2005152102.tif 000011
【図１０】
2005152102.tif 000012
【図１１】
2005152102.tif 000013
【図１２】
2005152102.tif 000014
【図１３】
2005152102.tif 000015
【図１４】
2005152102.tif 000016
【図１５】
2005152102.tif 000017
【図１６】
2005152102.tif 000018
【図１７】
2005152102.tif 000019
【図１８】
2005152102.tif 000020
【図１９】
2005152102.tif 000021
【図２０】
2005152102.tif 000022
【図２１】
2005152102.tif 000023